(57)【要約】【課題】ビューア端末装置の機能差から生じるユーザ間の情報量の格差を軽減できるようにし、これにより医療現場における情報量を拡大する。【解決手段】  医用画像を蓄積するサーバ装置と、このサーバ装置から通信回線を介して医用画像を取得する複数のビューア端末装置とを具備する医用画像配信システムにおいて、少なくとも一つのビューア端末装置に、ユーザにＧＵＩ環境を提供するユーザインタフェース手段と、取得した医用画像をユーザインタフェース手段を介して与えられる操作イベントに基づいて加工して加工画像を生成する画像加工手段と、操作イベントを監視して当該操作イベントが既定の条件を満足した場合に加工画像をキャプチャするキャプチャ手段と、キャプチャされた加工画像をサーバ装置に転送して蓄積させる画像転送手段とを備えるようにした。【選択図】      図２
2005312683.tif 000002
【特許請求の範囲】
【請求項１】
医用画像を蓄積するサーバ装置と、このサーバ装置から通信回線を介して前記医用画像を取得する複数のビューア端末装置とを具備する医用画像配信システムにおいて、
前記複数のビューア端末装置の少なくとも一つは、
ユーザにＧＵＩ（Graphical User Interface）環境を提供するユーザインタフェース手段と、
前記取得した医用画像を、前記ユーザインタフェース手段を介して与えられる操作イベントに基づいて加工して加工画像を生成する画像加工手段と、
前記操作イベントを監視して当該操作イベントが既定の条件を満足した場合に、前記加工画像をキャプチャするキャプチャ手段と、
前記キャプチャされた加工画像を前記サーバ装置に転送して蓄積させる画像転送手段とを備えることを特徴とする医用画像配信システム。
【請求項２】
前記キャプチャ手段は、前記ユーザインタフェース手段を介してＭＰＲ断面作成操作がなされた場合に前記加工画像をキャプチャすることを特徴とする請求項１に記載の医用画像配信システム。
【請求項３】
前記キャプチャ手段は、前記ユーザインタフェース手段を介してＭＩＰ画像形成操作またはＭＩＮＩＰ画像形成操作がなされた場合に前記加工画像をキャプチャすることを特徴とする請求項１に記載の医用画像配信システム。
【請求項４】
前記キャプチャ手段は、前記ユーザインタフェース手段を介して３Ｄ画像形成操作がなされた場合に前記加工画像をキャプチャすることを特徴とする請求項１に記載の医用画像配信システム。
【請求項５】
前記キャプチャ手段は、前記ユーザインタフェース手段を介して画像シネ操作がなされた場合に前記加工画像をキャプチャすることを特徴とする請求項１に記載の医用画像配信システム。
【請求項６】
前記キャプチャ手段は、前記操作イベントの発生する間隔が規定時間を超えた場合に前記加工画像をキャプチャすることを特徴とする請求項１に記載の医用画像配信システム。
【請求項７】
前記キャプチャ手段は、前記操作イベントの発生する間隔内において一定時間ごとに前記加工画像をキャプチャすることを特徴とする請求項６に記載の医用画像配信システム。
【請求項８】
前記キャプチャ手段は、前記操作イベントの発生する間隔内において変化した加工画像のみをキャプチャすることを特徴とする請求項７に記載の医用画像配信システム。
【請求項９】
前記キャプチャ手段は、前記ユーザインタフェース手段を介して前記加工画像に対するレポート作成操作がなされた場合に当該加工画像をキャプチャすることを特徴とする請求項１に記載の医用画像配信システム。
【請求項１０】
前記キャプチャ手段は、キャプチャした加工画像にキャプチャ時の時刻情報を示すタイムスタンプを付加することを特徴とする請求項１に記載の医用画像配信システム。
【請求項１１】
前記複数のビューア端末装置の少なくとも一つは、
さらに、前記サーバ装置から取得した医用画像をタイムスタンプ順にサムネイル表示する表示制御手段を具備することを特徴とする請求項１０に記載の医用画像配信システム。
【請求項１２】
前記加工画像は、前記ユーザインタフェース手段を介して前記ユーザに表示されている状態の画像を含むことを特徴とする請求項１に記載の医用画像配信システム。
【請求項１３】
医用画像を蓄積するサーバ装置から通信回線を介して前記医用画像を取得して表示するビューア端末装置において、
ユーザにＧＵＩ（Graphical User Interface）環境を提供するユーザインタフェース手段と、
前記取得した医用画像を、前記ユーザインタフェース手段を介して与えられる操作イベントに基づいて加工して加工画像を生成する画像加工手段と、
前記操作イベントを監視して当該操作イベントが既定の条件を満足した場合に、前記加工画像をキャプチャするキャプチャ手段と、
前記キャプチャされた加工画像を前記サーバ装置に転送して蓄積させる画像転送手段とを備えることを特徴とするビューア端末装置。
【請求項１４】
前記キャプチャ手段は、前記ユーザインタフェース手段を介してＭＰＲ断面作成操作がなされた場合に前記加工画像をキャプチャすることを特徴とする請求項１３に記載のビューア端末装置。
【請求項１５】
前記キャプチャ手段は、前記ユーザインタフェース手段を介してＭＩＰ画像形成操作またはＭＩＮＩＰ画像形成操作がなされた場合に前記加工画像をキャプチャすることを特徴とする請求項１３に記載のビューア端末装置。
【請求項１６】
前記キャプチャ手段は、前記ユーザインタフェース手段を介して３Ｄ画像形成操作がなされた場合に前記加工画像をキャプチャすることを特徴とする請求項１３に記載のビューア端末装置。
【請求項１７】
前記キャプチャ手段は、前記ユーザインタフェース手段を介して画像シネ操作がなされた場合に前記加工画像をキャプチャすることを特徴とする請求項１３に記載のビューア端末装置。
【請求項１８】
前記キャプチャ手段は、前記操作イベントの発生する間隔が規定時間を超えた場合に前記加工画像をキャプチャすることを特徴とする請求項１３に記載のビューア端末装置。
【請求項１９】
前記キャプチャ手段は、前記操作イベントの発生する間隔内において一定時間ごとに前記加工画像をキャプチャすることを特徴とする請求項１８に記載のビューア端末装置。
【請求項２０】
前記キャプチャ手段は、前記操作イベントの発生する間隔内において変化した加工画像のみをキャプチャすることを特徴とする請求項１９に記載のビューア端末装置。
【請求項２１】
前記キャプチャ手段は、前記ユーザインタフェース手段を介して前記加工画像に対するレポート作成操作がなされた場合に当該加工画像をキャプチャすることを特徴とする請求項１３に記載のビューア端末装置。
【請求項２２】
前記キャプチャ手段は、キャプチャした加工画像にキャプチャ時の時刻情報を示すタイムスタンプを付加することを特徴とする請求項１３に記載のビューア端末装置。
【請求項２３】
前記加工画像は、前記ユーザインタフェース手段を介して前記ユーザに表示されている状態の画像を含むことを特徴とする請求項１３に記載のビューア端末装置。
【発明の詳細な説明】
【技術分野】
【０００１】
本発明は、ＣＴスキャン装置などにより撮影された医用画像を院内ＬＡＮ（Local Area Network）を介して配信する医用画像配信システムと、このシステムにおいて用いられるビューア端末装置に関する。
【背景技術】
【０００２】
ＣＴスキャン装置などにより撮影された医用画像をサーバ装置に蓄積し、端末装置から読み出して表示できるようにした医用画像配信システムが提供されている（例えば、特許文献１および２を参照）。通常、ビューア端末は病院内に複数設置され、医師は場所を選ばず医用画像を参照したり、読影したりできる。
【０００３】
ところで、ビューア端末は全てが同等の機能を備えているとは限らない。すなわち端末装置の処理機能や搭載メモリ容量などにより実装可能なアプリケーションが制限されるため、高機能のビューア端末と簡易型のビューア端末とが混在するのが普通である。高機能のビューア端末は必要とされるほぼ全ての機能（シネ表示、３Ｄ表示、動画表示など）を提供することができるが、その設置台数はそれほど多くはない。よって外来診療の医師などは簡易型のビューア端末を用いることが多く、ここに、ユーザ間における情報量の格差が生まれる。
【特許文献１】特開２００２−２５３５４５号公報
【特許文献２】特開平９−１９８４５３号公報
【発明の開示】
【発明が解決しようとする課題】
【０００４】
この種のシステムに備わる画像保管サーバには、種々多様な医用画像が蓄積される。それだけでなく、高機能ビューワの中には読み出した画像を種々に加工して、画像保管サーバに無い新たな画像を作り出す機能を持つものもある。これにも拘わらず既存のシステムでは、新たに作成された画像はその場限りで取り扱われ、必要が無くなれば破棄されてしまっている。仮に高機能ビューア（または簡易型ビューアのうち特殊な機能を持つもの）により作成された新規画像を簡易型ビューアにおいても利用することができれば、医療現場にもたらされる情報量は飛躍的に増大するものと見込まれるが、そのような機能を実現するシステムは未だ知られていない。
【０００５】
本発明は上記事情によりなされたもので、その目的は、ビューア端末装置の機能差から生じるユーザ間の情報量の格差を軽減できるようにし、これにより医療現場における情報量を拡大することの可能な医用画像配信システムとそのビューア端末装置を提供することにある。
【課題を解決するための手段】
【０００６】
上記目的を達成するために本発明の第１局面に係わる医用画像配信システムは、医用画像を蓄積するサーバ装置と、このサーバ装置から通信回線を介して前記医用画像を取得する複数のビューア端末装置とを具備する医用画像配信システムにおいて、前記複数のビューア端末装置の少なくとも一つは、ユーザにＧＵＩ（Graphical User Interface）環境を提供するユーザインタフェース手段と、前記取得した医用画像を、前記ユーザインタフェース手段を介して与えられる操作イベントに基づいて加工して加工画像を生成する画像加工手段と、前記操作イベントを監視して当該操作イベントが既定の条件を満足した場合に、前記加工画像をキャプチャするキャプチャ手段と、前記キャプチャされた加工画像を前記サーバ装置に転送して蓄積させる画像転送手段とを備える。
【発明の効果】
【０００７】
本発明によれば、ビューア端末装置の機能差から生じるユーザ間の情報量の格差を軽減できるようになり、これにより医療現場における情報量を拡大することの可能な医用画像配信システムとそのビューア端末装置を提供することができる。
【発明を実施するための最良の形態】
【０００８】
以下、図面を参照して本発明を好ましい実施形態により説明する。なお、画像ビューアは、様々な種類のディジタル画像を表示する装置である。ここでは、画像として医用画像を例に説明する。  
図１は、本発明に係わる医用画像配信システムの一実施の形態を示すシステム図である。図１のシステムは、病院内に形成される院内システムと、病院外に形成される院外システムとを備える。院内および院外システムは公衆網を介して接続される。このうち院内システムは、ＬＡＮ（ローカルエリアネットワーク）を介して互いに接続されるＣＴ装置１１、ＭＲ装置１２、高機能ビューア１３、簡易ビューア１４、ＤＲ装置１５、画像保管サーバ１６、および、アクセスルータ１７を備える。
【０００９】
ＣＴ装置１１、ＭＲ装置１２、および、ＤＲ装置１５はモダリティ（検査装置）として使用され、各種の医用画像を撮影する。この医用画像はＬＡＮを介して大容量の画像保管サーバ１６に転送され、一定期間分に渡り蓄積される。高機能ビューア１３および簡易ビューア１４は、画像保管サーバ１６に蓄積される医用画像をユーザの操作に応じてＬＡＮ経由で取得し、表示する。
【００１０】
このうち高機能ビューア１３、は取得した医用画像を加工して新規画像を作成する機能を備えるとする。この種の機能には、例えば３Ｄデータ加工、Ｆｕｓｉｏｎデータ加工、ＭＩＰ画像形成処理などがある。なお画像保管サーバ１６自身に、これらの画像加工機能を備えるようにしても良い。  
院内システムのＬＡＮはアクセスルータ１７を介してＩＰ（Internet Protocol）網などの公衆網ＮＷに接続され、さらに院外システムのアクセスルータ２１に接続される。アクセスルータ２１はＬＡＮを介して高機能ビューア２３に接続され、これにより高機能ビューア２３は、院内システムの画像保管サーバ１６にアクセスして画像を取得することができる。なお院外システムに備わるＰＤＡ（Personal Digital Assistants）ビューア２２は、無線基地局（図示せず）を介して公衆網ＮＷに接続される。これによりＰＤＡビューア２２も画像保管サーバ１６の蓄積画像を取得することができる。
【００１１】
図２は、図１の高機能ビューア１３の一実施の形態を示す機能ブロック図である。なお高機能ビューア２３も同様の構成である。図２において、高機能ビューア１３は、ユーザインタフェース部３１と、通信インタフェース部３８と、操作履歴記録部３２と、情報処理部３３とを備える。ユーザインタフェース部３１は液晶モニタ、キーボード、マウス（いずれも図示せず）などを備え、ユーザにＧＵＩ（グラフィカルユーザインタフェース）ベースの操作環境を提供する。ユーザはユーザインタフェース部３１を介して、画像取得や画像加工処理などの種々の指示を装置に与える。その結果は、ユーザインタフェース部３１を介してユーザに示される。
【００１２】
通信インタフェース部３８はＬＡＮに接続され、公衆網ＮＷおよびＬＡＮとの間でのインタフェース処理を実施する。例えば、ＬＡＮを介して伝送された画像データ３７は通信インタフェース部３８を介して高機能ビューア１３内部に取り込まれ、情報処理部３３に与えられる。
【００１３】
操作履歴記録部３２は、ユーザインタフェース部３１を介して行われた命令の入力操作の履歴に従って、操作履歴情報および操作指示情報（参照符号３５）を生成する。発生された情報は図示しない記憶手段に記憶されるか、通信インタフェース部３８を介して画像保管サーバ１６などに送られる。例えば操作履歴情報には、ユーザが実際に行った例えば「検査リスト表示」、「検査選択」、「画像表示」、「表示コマ数の増加」、「レポート作成」、「レポート保存」等のボタンクリック等の操作が、各ボタンに対応付けされている命令の種別、操作の種類（クリック、ドラッグ等）、操作を行った日時、ここでは年月日時分、さらに何秒までの詳細な操作日時とともに書き込まれる。
【００１４】
図３は、図２の情報処理部３３に備わる処理機能を示す機能ブロック図である。情報処理部３３は、本実施形態に係わるソフトウェア処理機能として画像加工処理部３３ａと、キャプチャ処理部３３ｂと、転送処理部３３ｃと、表示制御部３３ｄとを備える。このうち画像加工処理部３３ａは、ユーザインタフェース部３１ユーザから与えられる操作イベントに基づいて、画像保管サーバ１６から取得した画像を加工し、新規な加工画像を生成する。
【００１５】
キャプチャ処理部３３ｂは、操作イベントが一定の条件を満足した場合に、その時点における加工画像をキャプチャする。特にキャプチャ処理部３３ｂは、キャプチャした加工画像にキャプチャ時の時刻情報を示すタイムスタンプを付加する。転送処理部３３ｃは、キャプチャ処理部３３ｂによりキャプチャされた加工画像を画像保管サーバ１６に転送し、蓄積させる。表示制御部３３ｄは、画像保管サーバ１６から取得した画像を、例えば画像に付されるタイムスタンプ順にサムネイル表示するための制御を行う。次に、上記構成における作用を説明する。
【００１６】
図４は、上記構成の高機能ビューア１３の操作手順の一例を示す図である。ユーザは、図４に示されるＧＵＩ画面を参照し、高機能ビューア１３に種々の指示を与える。高機能ビューア１３の情報処理部３３は指示内容に従い、リストデータを画像保管サーバ１６から読み出したり、画像データを読みだしたり、メモデータを読み出したりする。この読み出されたデータはＧＵＩを介して表示され、またその表示内容に基づいてユーザの画像編集指示が与えられる。編集の結果を反映するデータは画像保管サーバ１６に返送される。また、３ＤデータやＦｕｓｉｏｎデータなどの加工画像も、画像保管サーバ１６に送られる。
【００１７】
図４（ａ）はＧＵＩの初期画面を示し、例えば［検査リスト］、［保守メニュー］などのクリッカブルボタンが表示される。このうち検査リストボタンがクリックされると図４（ｂ）に示すように、患者ごとの検査リストが表示される。このリストからいずれかの患者が選択された状態で画像表示ボタンがクリックされると、図４（ｃ）に示すように、例えばＣＴスキャン画像が画像保管サーバ１６から取得され、ＧＵＩ画面上に表示される。
【００１８】
図４（ｃ）においては［レポート作成］、［３Ｄ］、および［ＷＬ／ＷＷ］ボタンが表示されており、このうち３Ｄボタンがクリックされると、３Ｄ画像を生成するためのコマンドが高機能ビューア１３に与えられる。そうすると図４（ｃ）の画像データに基づく３次元加工処理が実施され、３Ｄ画像が図４（ｄ）に示すように表示される。
【００１９】
以上の一連の操作は操作イベントとして高機能ビューア１３に与えられる。高機能ビューア１３の情報処理部３３は操作イベントを監視し、キャプチャトリガに適合する条件が発生した場合は、その時点で設定されているキャプチャ動作を行う。キャプチャされた画像データは時系列に配列され、画像保管サーバ１６に転送されて保管される。またキャプチャされた画像データは、画像保管サーバ１６から関連する情報を取得された場合に、ともに要求元のビューア端末に返送される。キャプチャ処理部３３ｂにおける画像キャプチャ処理のトリガとなる条件の例を、以下に複数説明する。
【００２０】
（１）  ＭＰＲ断面作成指示が与えられた場合、その操作イベントに応じて生成された画像をキャプチャする。例えば、階調変更、断面移動、オブリーク、ＣｕｒｖｅｄＭＰＲ、ＳＬＡＢ、その他加工処理により生成された画像データはすべてキャプチャされる。  
（２）  ＭＩＰ画像作成、またはＭＩＮＩＰ画像作成指示が与えられた場合、その操作イベントに応じて生成された画像をキャプチャする。例えば、階調変更、断面移動、オブリーク、ＳＬＡＢ、その他加工処理により生成された画像データはすべてキャプチャされる。
【００２１】
（３）  ３Ｄ画像作成指示が与えられた場合、その操作イベントに応じて生成された画像をキャプチャする。例えば、Ｓｕｒｆａｃｅ，Ｖｏｌｕｍｅレンダリング作成、回転、切削、（不）透明度変更、その他加工処理により生成された画像データはすべてキャプチャされる。  
（４）  例えば高機能ビューア１３のモードが読影ルーチン操作である状態で、ユーザが行った操作のイベントが既定の間隔で停止している場合に、その時点の画像をキャプチャする。例えば、ユーザ操作が３秒以上停止している場合がこれに当たり、この場合には検査と対の情報として画像がキャプチャされる。２Ｄのデータの場合はそのデータはマーキングされ、高機能ビューア１３だけに備わる機能（すなわち簡易ビューア１４およびＰＤＡビューア２２が備えていない機能）により観察されている画像も、キャプチャされる。
【００２２】
（５）  ユーザが読影中の画像は、一定の間隔で必ずキャプチャする。なおユーザによる操作イベントが与えられらなかった場合や、画像に変化がない場合には必ずしもキャプチャの必要はない。  
（６）  画像シネ操作により生成された画像データをキャプチャする。例えば、画像が停止されたとき、反対方向に画像めくりを行ったとき、または同じ画像（ある程度の幅は許容される）が繰り返し表示された場合に、これらの画像は全てキャプチャされる。
【００２３】
（７）  レポート作成指示が与えられた場合、その時点の画像データをキャプチャする。すなわち図４の（ｂ）〜（ｄ）に示すレポート作成ボタンがクリックされた場合がこれにあたる。また、文字が入力された場合、レポート画面にマウスポインタが移動された場合、また、それぞれの動作の前（ある間隔中）の動作中で画像が変化した場合にも、その時点における画像データをキャプチャするようにする。  
（８）  上記（１）〜（７）の条件に加え、複数の画像が連動操作された場合には、連動された画像もキャプチャ対象とする。このほか、キャプチャ画像枚数が多い場合、または複雑な手順を要する処理がなされた場合にも、逐一画像をキャプチャすると良い。
【００２４】
図５は、図２の高機能ビューア１３の処理手順の一例を示すフローチャートである。図５において、高機能ビューア１３はユーザ操作に基づくキャプチャトリガの発生を常時監視する（ステップＳ１）。上記（１）〜（８）のいずれかの条件が満足されると、高機能ビューア１３はその時点における画像データすなわち加工画像をキャプチャする（ステップＳ２）。このキャプチャされた画像は画像保管サーバ１６に転送され（ステップＳ３）、簡易ビューア１４、ＰＤＡビューア２２および高機能ビューア２３からの要求に応じて各ビューアに配信される。
【００２５】
簡易ビューア１４、ＰＤＡビューア２２においては、配信された画像が時系列順に配列されてサムネイル表示され、各サムネイルがクリックされた場合には拡大表示される。本実施形態によれば、各モダリティにより取得された画像だけでなく、高機能ビューア１３により生成された加工画像をも、簡易ビューア１４におけるサムネイル表示の対象にすることができる。これにより、本来２Ｄ画像の表示機能しか備えないビューア（ＰＤＡビューア２２など）においても、高機能ビューア１３と同等の３Ｄ画像やＦｕｓｉｏｎ画像を閲覧することが可能になる。
【００２６】
また各サムネイルに、その画像がキャプチャされた時刻や時間経過などを表示することで、その画像に係わる検査がどのような手順のもとで読影されたかという情報を、現場の医師に伝達することが容易になる。この場合、キャプチャの時間間隔を短く設定しておけば、どのような手順が踏まれたかを理解することが更に容易になる。これにより高機能ビューア１３を使用したことのないユーザに、高機能ビューア１３の備える機能を理解させることも容易になる。
【００２７】
以上のように本実施形態では、高機能ビューア１３，２３の持つ機能により生成された画像をも画像保管サーバ１６に蓄積するようにしているので、簡易ビューア１４などにおける読影効率および読影精度の向上を促すことができ、さらには、簡易ビューア１４やＰＤＡビューア２２のユーザが高機能ビューア１３，２３の機能を修得するモチベーションを高めることも可能になる。以上をまとめると本実施形態によれば、ビューア端末装置の機能差から生じるユーザ間の情報量の格差を軽減できるようになるので、医療現場における情報量を拡大することが可能になる。
【００２８】
なお、本発明は上記実施の形態に限定されるものではない。例えば本実施形態では高機能ビューア１３，２３で生成された画像を自動的にキャプチャするようにしているが、その対象となる加工画像は、必ずしも特殊な加工処理を経て作成されたものである必要は無い。例えば、複数の画像を画像保管サーバ１６から取得して同じ画面に表示した状態の画像も、加工画像の概念に含まれる。また、同じ画面内の複数の画像のうち一部のみに特殊加工を施した状態の画像も、加工画像である。
【００２９】
例えば、ＭＰＲ処理を施すと、Sagital、Coronal、Axialなる３面の画像が表示される。本実施形態ではこのような画像もキャプチャ対象に含むようにする。すなわち本実施形態では、要するにユーザが読影中の画像（ユーザインタフェース部３１に表示されている状態の画像）を一定のトリガのもとでキャプチャするようにする。さらに本実施形態では、ユーザが読影中の画像に複数枚の画像が含まれる場合、その画面内における配置や、配列の状態を示す情報なども併せてキャプチャするようにする。このように、画像データだけでなくキャプチャー関連情報をも含めてシステム内に取り込むようにすると、更なる応用範囲の拡大を期待できる。
【００３０】
同様にシネ表示処理時の画像キャプチャに際しては、画像データだけでなく、キャプチャ対象画像の前後に並ぶ画像の配列に関する情報も併せて取り込むようにすると良い。このようにすると、シネ表示に係わる奥行きの画像データを、事後に容易に取得できるようになる。
【００３１】
また本実施形態では、画像を加工する機能を高機能ビューア１３，２３に備えるようにしたが、これに代えて、同様の機能を画像保管サーバ１６に持たせるようにしても良い。すなわち各ビューアからの要求に応じた画像を画像保管サーバ１６において生成し、これを要求元ビューアに配信するようにしても良い。このようにすると、画像蓄積にかかるＬＡＮおよび公衆網ＮＷのトラヒックを軽減することが可能になる。
【００３２】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３３】
【図１】本発明に係わる医用画像配信システムの一実施の形態を示すシステム図。
【図２】図１の高機能ビューア１３，２３の一実施の形態を示す機能ブロック図。
【図３】図２の情報処理部３３に備わる処理機能を示す機能ブロック図。
【図４】図２の高機能ビューア１３，２３の操作手順の一例を示す図。
【図５】図２の高機能ビューア１３，２３の処理手順の一例を示すフローチャート。
【符号の説明】
【００３４】
ＮＷ…公衆網、１１…ＣＴ装置、１２…ＭＲ装置、１３，２３…高機能ビューア、１４…簡易ビューア、１５…ＤＲ装置、１６…画像保管サーバ、１７，２１…アクセスルータ、２２…ＰＤＡビューア、３１…ユーザインタフェース部、３２…操作履歴記録部、３３…情報処理部、３３ａ…画像加工処理部、３３ｂ…キャプチャ処理部、３３ｃ…転送処理部、３３ｄ…表示制御部、３７…画像データ、３８…通信インタフェース部
【図１】
2005312683.tif 000003
【図２】
2005312683.tif 000004
【図３】
2005312683.tif 000005
【図４】
2005312683.tif 000006
【図５】
2005312683.tif 000007